(57)【特許請求の範囲】
【請求項１】
第１及び第２の端末装置を含むシステムであって、
前記第１の端末装置は、
第１の出力デバイスと、
前記第１の出力デバイスの出力レベルの異なる複数の動作モードのいずれかを指定するモード識別子を記憶するための第１の記憶手段と、
第１の通信装置と、
前記第１の端末装置の現在位置を取得するための第１の位置取得手段と、
前記複数の動作モードのいずれかを利用者に指定させるための指定手段と、
前記指定手段によって前記複数の動作モードのいずれかが指定されたことに応答して、前記第１の通信装置を介し、前記第１の位置取得手段によって取得された前記第１の端末装置の現在位置と、前記指定手段により指定された動作モードを示すモード識別子とを含むモード変更命令を送信するための送信手段とを含み、
前記第２の端末装置は、
第２の出力デバイスと、
前記第２の端末装置の前記第２の出力デバイスの出力レベルの異なる複数の動作モードのいずれかを指定するモード識別子を記憶するための第２の記憶手段と、
第２の通信装置と、
前記第２の端末装置の現在位置を取得するための第２の位置取得手段と、
前記第２の通信装置が、他の端末装置からのモード変更命令を受信したことに応答して、前記第２の端末装置の前記第２の位置取得手段によって取得された前記第２の端末装置の現在位置と、前記受信されたモード変更命令に含まれる前記他の端末装置の現在位置との間の距離にしたがって、前記受信されたモード変更命令に含まれるモード識別子を前記第２の端末装置の前記第２の記憶手段に記憶させるか否かを決定するための手段とを含む、システム。
【請求項２】
出力デバイスと、
前記出力デバイスの出力レベルの異なる複数の動作モードのいずれかを指定するモード識別子を記憶するための記憶手段と、
通信装置とを含む端末装置であって、さらに、
前記端末装置の現在位置を取得するための位置取得手段と、
前記複数の動作モードのいずれかを利用者に指定させ、前記記憶手段に当該動作モードに対応するモード識別子を記憶させるための指定手段と、
前記指定手段によって前記複数の動作モードのいずれかが指定されたことに応答して、前記通信装置を介し、前記位置取得手段によって取得された前記端末装置の現在位置と、前記指定手段により指定された動作モードを示す識別子とを含むモード変更命令を送信するための送信手段とを含む、端末装置。
【請求項３】
出力デバイスと、
前記出力デバイスの出力レベルの異なる複数の動作モードのいずれかを指定するモード識別子を記憶するための記憶手段と、
通信装置とを含む端末装置であって、
前記端末装置の現在位置を取得するための位置取得手段と、
前記通信装置が、他の端末装置の現在位置とモード識別子とを含むモード変更命令を受信したことに応答して、前記位置取得手段によって取得された前記端末装置の現在位置と、前記受信されたモード変更命令に含まれる前記他の端末装置の現在位置との距離にしたがって、前記データに含まれるモード識別子を前記記憶手段に記憶させるか否かを決定するための手段とを含む、端末装置。
【請求項４】
前記端末装置は通話手段をさらに含み、
前記出力デバイスは、前記通話手段に着信があったことに応答して、着信音を前記記憶手段に記憶されたモード識別子により異なるレベルで出力するための音発生手段を含む、請求項２又は請求項３に記載の端末装置。
【発明の詳細な説明】
【技術分野】
【０００１】
本発明は、複数の動作モードで動作可能な端末装置を含むシステムに関し、特に、端末装置の動作モードを制御するためのシステム及び当該システムで使用される端末装置に関する。
【背景技術】
【０００２】
携帯電話の普及に伴い、電車及び映画館等のように人が大勢集まる場所において、突然に発生する携帯電話の着信音が問題となっている。携帯電話の利用者以外の者にとって、そのような着信音が迷惑となる場合がある。
【０００３】
着信があったときに着信音を鳴動させないために、利用者による手動の操作で携帯電話をマナーモードに切替えることが一般的である。利用者による手動操作によらず、自動でマナーモードに設定するための技術も開発されている。
【０００４】
特許文献１に記載の携帯電話機は、基地局の無線ゾーンの間の移動時間に基づき、携帯電話機を所持している利用者の移動速度を推定し、推定結果によって利用者が電車に乗車しているか否かを判定する。利用者が電車に乗っていると判定したとき、携帯電話機は自動でマナーモードになる。乗車中でないと判定したときは自動でマナーモードを解除する。
【０００５】
特許文献２に記載の技術では、細かく動作モードが設定可能である。例えば次のような設定が可能である。すなわち、利用者は、衣服の胸ポケット等にＲＦＩＤ（Ｒａｄｉｏ  Ｆｒｅｑｕｅｎｃｙ  ＩＤｅｎｔｉｆｉｃａｔｉｏｎ）のタグを収納する。携帯無線端末は、当該タグと当該携帯無線端末との相対的な距離及び速度を検出して、当該携帯無線端末が胸ポケットから取出されたか、又はポケットに収納されているかを判定し、判定結果に応じてマナーモードに設定したり、マナーモードを解除したりする。
【０００６】
特許文献３に記載の移動通信端末装置は、基地局を介してある端末から着信があったことに応答して、近距離圏内にある他の端末に近距離無線信号を送信し、当該無線信号に対する他の端末からの応答の数を集計する。応答の数によって、当該移動通信端末装置の周辺にどれだけの数の人がいるかを推定する。移動通信端末装置は、応答の数が所定のしきい値を超えた場合、着信があったことをマナーモードで利用者に通知し、そうでないときには着信音で通知する。
【特許文献１】特開２００３‐６１１５３
【特許文献２】国際公開第０４／１０７７８９号パンフレット
【特許文献３】特開２００７‐２２１６１５
【発明の開示】
【発明が解決しようとする課題】
【０００７】
上記した特許文献１〜特許文献３のように自動でモードを変更するための技術は、あらゆる状況に対応できるものではなく、特定の条件に合致した場合にのみ効力を発揮するものである。
【０００８】
例えば、特許文献１では、所持するものが電車などの移動体に乗っている場合にのみ効力を発揮するが、映画館等、移動しない施設の中では効力を発揮しない。特許文献２の技術では、携帯無線端末がポケットに収納されている場合にのみマナーモードに設定し、ポケットから取出されている場合には音を出力するためのモードに設定すると、何らかの理由で当該無線端末を手に持っていたり、鞄の中に収納していたりすると、周囲の環境に関係なく着信音を発生してしまい、他人の迷惑となる可能性がある。
【０００９】
特許文献３に記載の技術では、周囲に多くの携帯電話があることが前提である。周囲にそれほど多くの携帯電話がない場合でも、着信音を出すべきでない状況があり得るが、そうした状況には対応できない。例えば、会社等において採用を決定するための面接をしたり、会議室内においてクライアントと商談をしたりする場合、近距離圏内に２、３人しか人がいない場合であっても、マナーモードに設定するべきである。特許文献３の技術では、そうした状況には対応できない。
【００１０】
これらのことから、最終的には、利用者による一般常識、マナー意識、及び道徳意識に依存した、手動によるモード変更に頼らざるを得ない。
【００１１】
しかし、一般常識、マナー意識、又は道徳意識のあまりない人が、バス又は電車内などの公共の場において携帯電話をマナーモードに設定せず、携帯電話が着信音を発生してしまうことは、最近よくあることである。
【００１２】
ところで、携帯電話は、一般の大人だけではなく、子供から老人まで幅広い年齢層で普及している。特に、小学校の低学年である子供であって、自宅から遠く離れた学校まで電車又はバス等で通学している子供に、通学途中での安全性を保つために、携帯電話を持たせる親は少なくない。
【００１３】
子供に携帯電話を持たせている親の立場から考えた場合、マナーモードに設定することを親が子供にあえて教えないことがある。なぜなら、携帯電話がマナーモードに設定されていると、着信があって携帯電話が振動したとしても気付かない場合があり、「電話をかけても子供が出ない！」と親が考え不安になるからである。ところが、子供がマナーモードへの設定方法を知らないために、バス又は電車内において子供が持っている携帯電話が着信音を発生してしまうこともよくあることである。
【００１４】
また、携帯電話をマナーモードに設定すべき場所で、携帯電話が着信音を発生するような状況は、子供が１人でいるためにマナーモードに設定できないときだけではなく、親子が一緒にいるときにも生じ得る。大人は、自分の携帯電話をマナーモードに設定することは忘れなくても、子供の携帯電話までマナーモードに設定することまで思い至らないことが多いためである。そのため、例えば、休日に親子で電車に乗っており、子供が持っている携帯電話が着信音を出力してしまうような場合もあり得る。そうした場合には、親があわてて子供の携帯電話をマナーモードに設定して対応することになる。
【００１５】
以上のように、本人が携帯電話をマナーモードに設定する方法を知らなかったり、又は忘れてしまったりした場合にも、適切に携帯電話の動作モードを設定する技術が求められている。現在のところそのような技術は提供されていない。
【００１６】
こうした問題は、携帯電話に限らない。携帯型の情報端末で、通信機能を持ち、かつ何らかのイベントがあったことを所持者に通知する必要がある情報端末に共通の問題である。
【００１７】
したがって、本発明の目的は、状況に応じて、利用者の操作の有無にかかわらず、端末の動作モードを適切に制御することができるシステム及びそのための通信端末を提供することである。
【課題を解決するための手段】
【００１８】
本発明の第１の局面に係るシステムは、第１の端末と第２の端末とを含むシステムである。第１の端末は、第１の出力デバイスと、第１の出力デバイスの出力レベルの異なる複数の動作モードのいずれかを指定するモード識別子を記憶するための第１の記憶手段と、第１の通信装置と、第１の端末の現在位置を取得するための第１の位置取得手段と、複数の動作モードのいずれかを利用者に指定させるための指定手段と、指定手段によって複数の動作モードのいずれかが指定されたことに応答して、第１の通信装置を介し、第１の位置取得手段によって取得された端末装置の現在位置と、指定手段により指定された動作モードを示すモード識別子とを含むモード変更命令を送信するための送信手段とを含む。第２の端末は、第２の出力デバイスと、第２の端末の第２の出力デバイスの出力レベルの異なる複数の動作モードのいずれかを指定するモード識別子を記憶するための第２の記憶手段と、第２の通信装置と、第２の端末装置の現在位置を取得するための第２の位置取得手段と、第２の通信装置が、他の端末装置からのモード変更命令を受信したことに応答して、第２の端末装置の第２の位置取得手段によって取得された第２の端末装置の現在位置と、受信されたモード変更命令に含まれる現在位置との間の距離にしたがって、受信されたモード変更命令に含まれるモード識別子を第２の記憶手段に記憶させるか否かを決定するための手段とを含む。
【００１９】
第１の端末装置の指定手段は、利用者に複数の動作モードのいずれかを指定させる。送信手段は、第１の通信装置を介して、指定された動作モードを示すモード識別子と、第１の端末装置の現在位置とを含むモード変更命令を送信する。第２の端末装置は、他の端末装置からのモード変更命令を受信すると、受信したモード変更命令に含まれる現在位置と、第２の端末の現在位置との距離にしたがって、受信したモード変更命令に含まれる識別子を第２の記憶手段に記憶させるか否かを決定する。
【００２０】
第１の端末装置を保持している利用者が第２の端末装置を保持している利用者の近傍にいる場合、第１の端末装置の利用者が自分の端末装置を適切な動作モードに指定すると、第２の端末装置の動作モードは、指定された動作モードで動作する。したがって、第２の端末装置の利用者がついつい適切な動作モードに変更することを忘れてしまったとしても、第１の端末装置の利用者さえ適切な動作モードを指定するよう注意すれば、第１及び第２の端末装置の両方が、周りの状況に適切な動作モードに設定される。また、第２の端末装置が第１の端末装置の近傍にいる場合と、いない場合とで、第２の端末装置に上記した動作をさせるか否かが区別される。その結果、状況に応じて、本人の操作の有無にかかわらず、端末装置(第２の端末装置)の動作モードを適切に制御するシステム及び端末装置を提供できる。
【００２１】
本発明の第２の局面に係る端末装置は、出力デバイスと、出力デバイスの出力レベルの異なる複数の動作モードのいずれかを指定するモード識別子を記憶するための記憶手段と、通信装置とを含む。この端末装置はさらに、端末装置の現在位置を取得するための位置取得手段と、複数の動作モードのいずれかを利用者に指定させ、記憶手段に当該動作モードに対応するモード識別子を記憶させるための指定手段と、指定手段によって複数の動作モードが指定されたことに応答して、通信装置を介し、位置取得手段によって取得された端末装置の現在位置と、指定手段により指定された動作モードを示す識別子とを含むモード変更命令を送信するための送信手段とを含む。
【００２２】
本発明の第３の局面に係る端末装置は、出力デバイスと、出力デバイスの出力レベルの異なる複数の動作モードのいずれかを指定するモード識別子を記憶するための記憶手段と、通信装置とを含む。端末装置はさらに、端末装置の現在位置を取得するための位置取得手段と、通信装置が、他の端末装置の現在位置とモード識別子とを含むモード変更命令を受信したことに応答して、位置取得手段によって取得された端末装置の現在位置と、受信されたモード変更命令に含まれるモード識別子を記憶手段に記憶させるか否かを決定するための手段とを含む。
【００２３】
好ましくは、端末装置は通話手段をさらに含む。出力デバイスは、通話手段に着信があったことに応答して、着信音を記憶手段に記憶されたモード識別子により異なるレベルで出力するための音発生手段を含む。
【００２４】
他の端末装置の利用者がこの端末装置の利用者の近傍におり、端末装置から着信音を出力させることがマナー違反となる場所にいる場合等、他の端末装置の利用者からこの端末装置に向けてモード変更命令を送信すると、当該モード変更命令を受信したこの端末装置は、自分の現在位置と、他の端末装置の現在位置との比較結果にしたがって、モード変更命令に含まれるモード識別子を記憶手段に記憶するか否かを決定する。したがって、この端末装置の動作モードを、他の端末装置の利用者が制御できる。例えばこの端末装置が、他の端末装置から遠くにいる場合にはこの端末装置の動作モードを変更せず、近傍にいる場合には変更するようにする。そうすることで、この端末装置の利用者が、この端末装置の動作モードを適切に設定するための方法を知らなかったとしても、他の端末装置の利用者であって、近傍にいる者がこの端末装置の動作モードを設定でき、マナー違反となるような行動を防止することができる。
【発明を実施するための最良の形態】
【００２５】
以下、本発明の実施の形態について、添付図面に基づき詳細に説明する。なお、以下の実施の形態の説明では、同一の部品には同一の参照番号を付してある。それらの機能及び名称も同一である。したがって、それらについての詳細な説明は繰返さない。
【００２６】
［ネットワーク環境］
図１は、本発明の実施の形態に係るシステム１００の構成を簡略化して示す。図１を参照して、システム１００は、インターネット１０８に接続され、インターネット１０８に接続される端末の要求に応じて、当該端末とインターネット１０８に接続されている他の端末との間で行なわれるデータの送受信の管理を行なうための管理サーバ１０２を含む。管理サーバ１０２による管理の詳細については後述する。システム１００はさらに、第１の基地局１１０及び第２の基地局１１２など、複数の基地局と、これら基地局を介してそれぞれ電話回線網１０６及びインターネット１０８に接続可能で、インターネット１０８に接続される他の端末とデータの送受信をするための通信機能、及び電話回線網１０６に接続される他の端末と通話するための通話機能を備える端末１０４Ａ、１０４Ｂ、及び１０４Ｃ等とを含む。
【００２７】
システム１００に含まれる端末１０４Ａ、端末１０４Ｂ、及び１０４Ｃ等の端末は、いくつかのグループに分類されており、各グループには、グループＩＤが付されている。以後、これら端末を代表して単に端末１０４と呼ぶことがある
［端末１０４の構成］
（端末１０４の外観構成）
図２は、端末１０４の外観構成を示す斜視図である。なお、ここでは、端末１０４Ａ、１０４Ｂ及び１０４Ｃの構成は全て端末１０４と同じであるものとする。図２を参照して、端末１０４は携帯電話であって、扁平な直方体形状を有する筐体１５０と、筐体１５０の上面の上半分に配置されたディスプレイ１５８と、ディスプレイ１５８の真下に配置され、ディスプレイ１５８上に表示されたカーソルを上下左右に移動させる際等に操作されるキーであるカーソルキー１５２と、カーソルキー１５２の内側に配置された確定ボタン１５６と、カーソルキー１５２の右側に配置され、電源をオン又はオフする際等に操作されるボタンである電源ボタン１５４とを含む。
【００２８】
端末１０４はさらに、カーソルキー１５２の左側に設置され、着信の際に着信音の発生を抑止し、代わりに端末１０４を振動させることで着信を通知するマナーモードと、着信の際に音を発生する着信音出力モードとを手動で切換えるためのマナーモードボタン１６０と、マナーモードボタン１６０の下側に配置され、通話を開始又は終了する際等に操作されるボタンである通話制御ボタン１６２と、カーソルキー１５２の真下に配置され、電話番号及びメールアドレス等のアクセスコード及び文字等の入力時に操作されるキーであるテンキー１６４とを含む。
【００２９】
（端末１０４の機能的構成）
図３は、端末１０４の機能的構成を示すブロック図である。図３を参照して、端末１０４は、端末１０４の制御中枢を司る、実質的にコンピュータからなる制御部２００と、制御部２００に接続され、他の端末との間で通話しているときに、当該他の端末と音声の無線通信を行なうための通話装置２２０、制御部２００に接続され、他の端末又は管理サーバ１０２との間でデータの無線通信を行なう通信装置２１０、制御部２００に接続された入力装置２０４、日時を計時し制御部２００に出力する計時装置２１６、ＧＰＳ（Ｇｌｏｂａｌ  Ｐｏｓｉｔｉｏｎｉｎｇ  Ｓｙｓｔｅｍ）により端末１０４の現在位置を緯度及び経度の形で取得し制御部２００に与える位置取得装置２０８、制御部２００からの指示に応じ、端末１０４を振動させる振動出力装置２１２、着信音等、制御部２００からの指示に応答して指示された音を出力する音声出力装置２１４、制御部２００から与えられる表示データを表示する表示装置２０２、並びに制御部２００が端末１０４の制御に使用する種々の情報を記憶する記憶装置２０６を含む。
【００３０】
入力装置２０４は、図２に示すカーソルキー１５２、電源ボタン１５４、確定ボタン１５６、マナーモードボタン１６０、通話制御ボタン１６２、及びテンキー１６４等を含む。通話装置２２０及び通信装置２１０の各々は、何れも図示しないアンテナ、ＲＦ（Ｒａｄｉｏ  Ｆｒｅｑｕｅｎｃｙ）部、変調部及び復調部等を含む。表示装置２０２は、図２に示すディスプレイ１５８等を含む。
【００３１】
端末１０４はさらに、通話装置２２０に接続され、端末１０４の利用者の通話中の音声を受けて電気信号に変換して通話装置２２０に与え、通話の相手の端末の音声信号を通話装置２２０から受けて音声に変換するための音声入出力装置２１８を含む。音声入出力装置２１８は、マイク、音声入力データ処理部、スピーカ、及び音声出力データ処理部等を含む。音声出力装置２１４は、音声入出力装置２１８に含まれるスピーカとは異なるスピーカを含む。
【００３２】
記憶装置２０６は、端末１０４がマナーモード及び着信音出力モードのいずれであるかを示す値を記憶する変数ＭＡＮＮＥＲと、端末１０４のメールアドレスを記憶する変数ＭＡＤＲと、端末１０４が属するグループＩＤを記憶する変数ＧＲＩＤとを記憶する領域を含む。記憶装置２０６はさらに、他の端末から受信した、後述するモード変更指示メールから抽出した、他の端末の所在位置の緯度、経度、及び高度をそれぞれ記憶する変数ＳＰＸ、ＳＰＹおよびＳＨＩＧＨと、端末１０４の所在位置の緯度、経度、及び高度をそれぞれ記憶する変数ＲＰＸ、ＲＰＹ及びＲＨＩＧＨと、モード変更指示メールから抽出した、端末１０４を設定すべき動作モードを示す値を記憶する変数ＳＴＭＭとを記憶する領域を含む。変数ＳＴＭＭに記憶される値は、変数ＭＡＮＮＥＲに記憶される値と共通である。
【００３３】
変数ＭＡＮＮＥＲには、０又は１が記憶される。この値が０のとき、端末１０４は着信音出力モード（マナーモードＯＦＦ）であり、この値が１のとき、端末１０４はマナーモード（マナーモードＯＮ）である。
【００３４】
［管理サーバ１０２の機能的構成］
図４は、管理サーバ１０２の機能的構成を示すブロック図である。図４を参照して、管理サーバ１０２は、管理サーバ１０２の制御中枢を司る、実質的にコンピュータからなる制御部２５２と、何れも制御部２５２に接続された、他の端末との間でデータの無線通信を行なうための通信装置２５０、種々の情報を記憶するための記憶装置２５４、及びシステム１００に含まれる端末に関する情報を管理するグループＤＢ２５６とを含む。
【００３５】
記憶装置２５４は、端末の制御の際に一時的に制御対象の端末のグループＩＤを記憶する変数ＧＲＩＤと、制御対象のグループのうち、他の端末を制御するためのモード変更指示メールを送信してきた端末のメールアドレスを記憶する変数ＳＭＡＤと、管理サーバ１０２の機能を実現するプログラムが内部的に使用する変数ＣＬＳ、変数Ｉ、変数Ｓ、及び変数Ｅとを記憶する領域を含む。これら変数の用途については後述する。
【００３６】
以後、管理サーバ１０２のメールアドレスは、「ｓｅｒｖｅｒｘｘ＠ｚｚｚ．ｚｚ．ｚｚ」であるものとする。
【００３７】
［グループＤＢ２５６の構成］
図５は、図４に示すグループＤＢ２５６の構成を示す図である。図５を参照して、グループＤＢ２５６においては、１つの端末に対して１つのレコードが割当てられる。グループＤＢ２５６の各レコードは、各端末が属するグループのグループＩＤを記憶するグループＩＤフィールドと、各端末の利用者名を記憶するユーザ名フィールドと、各端末のメールアドレスを記憶するメールアドレスフィールドと、後述する「グループ内における権限の強さ」によって各端末を３つのクラスに分類したときの、端末の属するクラスを示す、０、１又は２の値を記憶するクラスフィールドと、各レコードのインデックスを、０より大きい整数で記憶するためのインデックスフィールドとによって構成される。
【００３８】
グループＤＢ２５６のレコードは、常に、グループＩＤの昇順及びクラスフィールドの値の昇順でソートされており、各レコードのインデックスフィールドには、先頭から昇順に１から始まる連番が付されている。
【００３９】
（グループ内における権限の強さ）
クラスフィールドに記憶される数（０、１、又は２）は、グループ内におけるモード変更の権限の強さを示す。この値が０の端末はクラス０、１の端末はクラス１、２の端末はクラス２の端末と呼ぶ。各端末の権限は、クラスの値が小さいほど大きい。この値は、以下に述べる様に使用される。すなわち、あるグループ内の、あるクラスに属する端末の利用者が、その端末の動作モードをマナーモード及び着信音出力モードのいずれかに設定したものとする。この場合、当該端末と同じグループに属する他の端末であって、当該端末の属するクラスと同等かそれより小さな権限のクラスに属する他の端末の動作モードは、当該端末と同じ動作モードに強制的に変更される。この変更は、管理サーバ１０２を介して当該グループの端末間でモード変更のための通信を行なうことによって実行される。
【００４０】
図５に示すグループＤＢ２５６では、利用者名がＵｓｅｒ１〜Ｕｓｅｒ３、Ｕｓｅｒ４〜Ｕｓｅｒ６、及びＵｓｅｒｘ〜Ｕｓｅｒｚである端末が属するグループのグループＩＤは、それぞれ「０００１」、「０００２」、及び「９９９９」である。
【００４１】
例えば、グループＩＤが「０００１」であるグループでは、利用者名がＵｓｅｒ１である端末の動作モードが変更された場合、Ｕｓｅｒ２及びＵｓｅｒ３の端末の動作モードは、Ｕｓｅｒ１の端末の動作モードに強制的に変更される。また、Ｕｓｅｒ２の端末の動作モードが変更された場合、Ｕｓｅｒ３の端末の動作モードは、Ｕｓｅｒ２の端末の動作モードに強制的に変更される。Ｕｓｅｒ１の端末の動作モードは変更されない。
【００４２】
以後、端末１０４Ａ、１０４Ｂ、及び１０４Ｃの利用者名を、それぞれ図５に示すＵｓｅｒ１、Ｕｓｅｒ２、及びＵｓｅｒ３として説明する。
【００４３】
［メールデータの構成］
端末１０４の動作モードが変更されると、端末１０４は、管理サーバ１０２に対してモード変更要求メールと称される電子メールを送信する。管理サーバ１０２がモード変更要求メールを受信すると、管理サーバ１０２は、当該モード変更要求メールの送信元の端末と同じグループに属し、かつその端末と同等かそれ以下の権限を有するクラスに属する全ての端末に対してモード変更指示メールを送信する。
【００４４】
図６（Ａ）は、端末１０４Ａが送信するモード変更要求メールの構成を示す図である。図６（Ａ）を参照して、モード変更要求メールは、送信元である端末のメールアドレスを格納する「送信元アドレス」と、送信先の「送信先アドレス」と、本メールの内容について記述された「本文」とを含む。
【００４５】
本文には、１行目にモード変更コマンドとして「＜ＭｏｄｅＣｈａｎｇｅ＞」が記述され、２行目以降に、メールの送信元アドレスの端末のグループＩＤ、緯度、経度、高度、及び変数ＭＡＮＮＥＲの値が、それぞれ「ＧＲＩＤ＝」、「ＳＰＸ＝」、「ＳＰＹ＝」、「ＳＨＩＧＨ＝」、及び「ＭＡＮＮＥＲ＝」をキーワードとして記述される。
【００４６】
図６（Ａ）に示すモード変更要求メールの場合、図５に示されるグループＤＢの「Ｕｓｅｒ１」のレコードにより示されるように、送信元アドレスには端末１０４Ａのメールアドレスである「ｕｓｒ１＠ｘｘｘ．ｘｘ．ｘｘ」が格納される。本文のグループＩＤには、端末１０４Ａが属するグループＩＤ「０００１」が記述され、ＳＰＸ、ＳＰＹ、及びＳＨＩＧＨには、端末１０４Ａの現在位置を示す緯度、経度、及び高度の値が格納される。ＭＡＮＮＥＲには、変更後の動作モードに応じ、「０」又は「１」の値が記述される。「０」はマナーモードＯＦＦを示し、「１」はマナーモードＯＮを示す。送信先アドレスには管理サーバ１０２のメールアドレスである「ｓｅｒｖｅｒｘｘ＠ｚｚｚ．ｚｚ．ｚｚ」が格納されている。
【００４７】
図６（Ｂ）及び（Ｃ）は、図６（Ａ）に示すモード変更要求メールを管理サーバ１０２が受信したことに応答して、管理サーバ１０２がそれぞれ端末１０４Ｂ及び１０４Ｃに送信するモード変更指示メールの構成を示す図である。図６（Ｂ）及び（Ｃ）を参照して、モード変更指示メールは、本メールの送信元である管理サーバ１０２のメールアドレスを格納するための「送信元アドレス」と、モード変更要求メールの送信元アドレスに対応する端末と同じグループに属する他の端末であって、クラスフィールドの値がモード変更要求メールの送信元端末のクラスフィールドの値以上である他の端末のメールアドレスを格納するための「送信先アドレス」と、モード変更要求メールの本文と同一の内容である「本文」とからなる。
【００４８】
図６（Ｂ）に示すモード変更指示メールの送信元アドレスには、管理サーバ１０２のアドレスが格納され、送信先アドレスには、端末１０４Ａの値以上である端末１０４Ｂのメールアドレスが格納されている。また、本文には、図６（Ａ）に示すモード変更要求メールの本文と同一の内容が記述される。図５から分かるように、端末１０４Ｂは端末１０４Ａと同じグループＩＤ「０００１」を持ち、かつ、そのクラスフィールドの値が端末１０４Ａのクラスフィールドの値「０」より大きな「１」となっているため、このモード変更指示メールが送信される。図６（Ｃ）に示すモード変更指示メールについても同様である。
【００４９】
［ソフトウェア構成］
（端末１０４Ａのソフトウェア構成）
図７〜図１０は、端末１０４Ａで実行されるプログラムの制御構造を示すフローチャートである。このプログラムを実質的にコンピュータである制御部２００が実行することにより、端末１０４Ａの機能が実現される。
【００５０】
図７を参照して、このプログラムは、端末１０４Ａの電源オンとともに起動し、ディスプレイ１５８に待受画面を表示するステップ３００と、ステップ３００の後、他の端末から着呼があるか否かを判定し、判定結果に応じて制御の流れを分岐させるステップ３０２と、ステップ３０２の判定結果がＮＯの場合に、利用者によってマナーモードボタン１６０が押下されたか否かを判定し、判定結果に応じて制御の流れを分岐させるステップ３０４と、ステップ３０４の判定結果がＮＯの場合に、管理サーバ１０２からモード変更指示メールを受信したか否かを判定し、判定結果に応じて制御の流れを分岐させるステップ３０６と、ステップ３０６の判定結果がＮＯの場合に、その他の携帯電話の通常の機能を実行して、制御をステップ３０２に戻すステップ３０８とを含む。ステップ３０８では、利用者により何らかの指示があればそれにしたがった処理をし、何も指示がなければステップ３０２に制御を戻すことを繰返す。
【００５１】
図８を参照して、このプログラムはさらに、図７に示すステップ３０２の判定結果がＹＥＳの場合に、着呼があったことを利用者に示すための着信画面をディスプレイ１５８に表示するステップ３３０と、ステップ３３０の後、変数ＭＡＮＮＥＲの値が１であるか否かを判定し、判定結果に応じて制御の流れを分岐させるステップ３３２と、ステップ３３２の判定結果がＮＯの場合に、音声出力装置２１４を稼動させ、音を発生させるステップ３３４と、ステップ３３２の判定結果がＹＥＳの場合に、振動出力装置２１２を稼動させ、端末１０４Ａを振動させるステップ３３６とを含む。すなわち、変数ＭＡＮＮＥＲの値が１であれば音声の発生は抑止され、振動によって着信が通知され、０であれば着信音が発生される。
【００５２】
このプログラムはさらに、ステップ３３４の後、及びステップ３３６の後に実行され、利用者によって通話制御ボタン１６２が押下されたか否かを判定し、判定結果に応じて制御の流れを分岐させるステップ３３８と、ステップ３３８の判定結果がＮＯの場合に、他の端末から発呼を中断したことを示す発呼中断信号を受信したか否かを判定し、判定結果に応じて制御の流れを分岐させるステップ３４０と、ステップ３４０の判定結果がＹＥＳの場合に、変数ＭＡＮＮＥＲが０か１に応じ、音声出力装置２１４又は振動出力装置２１２の動作を停止させて、制御を図７に示すステップ３００に戻すステップ３４２とを含む。なお、ステップ３４０の判定結果がＮＯの場合には、制御はステップ３３８に戻る。
【００５３】
このプログラムはさらに、ステップ３３８の判定結果がＹＥＳの場合に、ステップ３４２と同様の処理を行なって着信音の停止又は振動装置の停止を行なうステップ３４２Ａと、ステップ３４２Ａの後、端末１０４Ａをオフフックの状態にするステップ３４４と、ステップ３４４の後、利用者が通話を終了するまで待機し、通話が終了した場合、制御を図７に示すステップ３００に戻すステップ３４６とを含む。
【００５４】
図９を参照して、このプログラムはさらに、図７に示すステップ３０４の判定結果がＹＥＳの場合に、変数ＭＡＮＮＥＲの値が１であるか否かを判定し、判定結果に応じて制御の流れを分岐させるステップ３３２Ａと、ステップ３３２Ａの判定結果がＮＯの場合に、変数ＭＡＮＮＥＲに１を代入するステップ３７０と、ステップ３３２Ａの判定結果がＹＥＳの場合に変数ＭＡＮＮＥＲに０を代入するステップ３７２と、ステップ３７０の後、及びステップ３７２の後に実行され、位置取得装置２０８から端末１０４Ａの現在位置である緯度、経度、及び高度を取得して、それぞれ変数ＳＰＸ、変数ＳＰＹ、及び変数ＳＨＩＧＨに代入するステップ３７４と、ステップ３７４の後、モード変更要求メールの送信元アドレス、送信先アドレス、並びに本文のキーワード「ＧＲＩＤ」、「ＳＰＸ」、「ＳＰＹ」、「ＳＨＩＧＨ」、及び「ＭＡＮＮＥＲ」に対応する値に、それぞれ変数ＭＡＤＲの値、管理サーバ１０２のメールアドレス、変数ＧＲＩＤの値、変数ＳＰＸの値、変数ＳＰＹの値、変数ＳＨＩＧＨの値、及び変数ＭＡＮＮＥＲの値を代入することによってモード変更要求メールを生成して、生成したモード変更要求メールを管理サーバ１０２に送信し、制御を図７に示すステップ３００に戻すステップ３７６とを含む。
【００５５】
図１０を参照して、このプログラムはさらに、図７に示すステップ３０６の判定結果がＹＥＳの場合に、モード変更指示メールの本文に含まれるキーワード「ＳＰＸ」、「ＳＰＹ」、「ＳＨＩＧＨ」、及び「ＭＡＮＮＥＲ」により示される値を、それぞれ変数ＳＰＸ、変数ＳＰＹ、変数ＳＨＩＧＨ、及び変数ＳＴＭＭに代入するステップ４００と、ステップ４００の後、位置取得装置２０８から端末１０４Ａの現在位置である緯度、経度、及び高度を取得して、取得した緯度、経度、及び高度を、それぞれ変数ＲＰＸ、変数ＲＰＹ、及び変数ＲＨＩＧＨに代入するステップ４０２とを含む。
【００５６】
このプログラムはさらに、ステップ４０２の後、変数ＳＰＸ及び変数ＳＰＹにより特定される位置と変数ＲＰＸ及び変数ＲＰＹにより特定される位置との間の距離を算出して、算出した距離が所定の値より小さいか否かを判定し、判定結果に応じて制御の流れを分岐させるステップ４０４と、ステップ４０４の判定結果がＹＥＳの場合に、さらに変数ＳＨＩＧＨと変数ＲＨＩＧＨとの差分（高度差）を算出して、算出した差分が所定の値より小さいか否かを判定し、判定結果に応じて制御の流れを分岐させるステップ４０６と、ステップ４０６の判定結果がＹＥＳの場合に、変数ＭＡＮＮＥＲに変数ＳＴＭＭの値を代入し、制御を図７に示すステップ３００に戻すステップ４０８とを含む。なお、ステップ４０４の判定結果がＮＯの場合、及びステップ４０６の判定結果がＮＯの場合、制御は図７に示すステップ３００に戻る。
【００５７】
本実施の形態では、ステップ４０４で算出する距離は、平面上の２点間のユークリッド距離である。また、本実施の形態において、ステップ４０４及び４０６の判定で使用されるしきい値としての所定の値はいずれも１５ｍである。
【００５８】
（管理サーバ１０２のソフトウェア構成）
図１１は、管理サーバ１０２で実行されるプログラムの制御構造を示すフローチャートである。このプログラムを実質的にコンピュータである制御部２５２が実行することにより、管理サーバ１０２の機能が実現される。
【００５９】
図１１を参照して、このプログラムは、管理下のいずれかの端末からモード変更要求メールを受信するまで待機するステップ４５０と、モード変更要求メールを受信した場合に、受信したモード変更要求メールの送信元アドレス及び本文のキーワード「ＧＲＩＤ」で示される値を、それぞれ変数ＳＭＡＤ及び変数ＧＲＩＤに代入するステップ４５２と、ステップ４５２の後、グループＤＢ２５６から、メールアドレスフィールドの値が変数ＳＭＡＤの値と一致するレコードを検索するステップ４５４と、ステップ４５４の後、ステップ４５４において検索されたレコードが存在するか否かを判定し、判定結果に応じて制御の流れを分岐させるステップ４５６とを含む。なお、ステップ４５６の判定結果がＮＯの場合、制御はステップ４５０に戻る。
【００６０】
このプログラムはさらに、ステップ４５６の判定結果がＹＥＳの場合に、検索したレコードのインデックスフィールド及びクラスフィールドの値を、それぞれ変数Ｉ及び変数ＣＬＳに代入するステップ４５８と、ステップ４５８の後、グループＤＢ２５６において、グループＩＤフィールドの値が変数ＧＲＩＤと一致するレコードの中における、インデックスフィールドの値の最小値と最大値とを、それぞれ変数Ｓ及び変数Ｅに代入するステップ４６０と、ステップ４６０の後、変数Ｓの値が変数Ｉの値と等しいか否かを判定し、判定結果に応じて制御の流れを分岐させるステップ４６２とを含む。
【００６１】
このプログラムはさらに、ステップ４６２の判定結果がＮＯの場合に、インデックスが変数Ｓの値と一致するレコードのクラスフィールドの値が、変数ＣＬＳの値より大きいか否かを判定し、判定結果に応じて制御の流れを分岐させるステップ４６４と、ステップ４６４の判定結果がＹＥＳの場合に、送信元アドレス、送信先アドレス、及び本文を、それぞれ管理サーバ１０２のメールアドレス、インデックスが変数ＩＳの値と一致するレコードのメールアドレス、及びステップ４５０で受信したモード変更要求メールの本文と同一のモード変更指示メールを生成して、生成したモード変更指示メールを送信するステップ４６６と、ステップ４６６の後、変数Ｓの値が変数Ｅの値と等しいか否かを判定し、判定結果に応じて制御の流れを分岐させるステップ４６８と、ステップ４６８の判定結果がＮＯの場合に、変数Ｓに１を加算して、制御をステップ４６２に戻すステップ４７０とを含む。ステップ４６８の判定結果がＹＥＳの場合、制御はステップ４５０に戻る。また、ステップ４６２の判定結果がＹＥＳの場合、及びステップ４６４の判定結果がＮＯの場合、制御はステップ４６８に進む。
【００６２】
［動作］
図１〜図１１を参照して、上記した構成を持つ本実施の形態に係るシステム１００は以下のように動作する。なお、グループＤＢ２５６には、図５に示すような情報が予め記憶されているものとする。
【００６３】
例えば、Ｕｓｅｒ１が、端末１０４Ａのマナーモードボタン１６０を押下したものとする。端末１０４Ａは、そのときの変数ＭＡＮＮＥＲの値が１か０かにより、新たに変数ＭＡＮＮＥＲに１又は０を代入する（図９に示すステップ３３２Ａ及び３７０又は３７２）。すなわち、端末１０４Ａの変数ＭＡＮＮＥＲの値は０と１との間でトグルする。端末１０４Ａは、現在位置を取得して、モード変更要求メールを生成し、当該メールを管理サーバ１０２に送信する。
【００６４】
管理サーバ１０２は、モード変更要求メールを受信すると、モード変更要求メールの送信元端末のメールアドレスと、その端末グループＩＤとを抽出する（図１１に示すステップ４５２）。管理サーバ１０２は、グループＤＢ２５６から、抽出されたメールアドレスと一致するメールアドレスを持つレコードを検索する（図１１に示すステップ４５４）。当該レコードが存在しない場合には（図１１に示すステップ４５６）、制御をステップ４５０に戻す。すなわち、この場合には管理サーバ１０２はモード変更要求メールを受信したにもかかわらず、何もしない。
【００６５】
図５を前提とすると、端末１０４Ａのメールアドレスを有するレコード（図５のユーザ名が「Ｕｓｅｒ１」のレコード）はグループＤＢ２５６中に存在している。したがって管理サーバ１０２は、端末１０４Ａからモード変更要求メールを受信すると、対応するレコードをグループＤＢ２５６から検索し、変数Ｉ及び変数ＣＬＳに、それぞれ検索したレコードのインデックスフィールドの値である１、及びクラスフィールドの値である０を代入する（図１１に示すステップ４５８）。管理サーバ１０２は、グループＩＤが「０００１」であるレコードの中で最小のインデックスである１及び最大のインデックスである３を、それぞれ変数Ｓ及びＥに代入する（図１１に示すステップ４６０）。
【００６６】
管理サーバ１０２は、インデックスが変数Ｓの値〜変数ＩＥの値であるレコードの各々に対して、以下の処理を行なう（図１１に示すステップ４６２〜４７０）。
【００６７】
管理サーバ１０２は、そのレコードのクラスフィールドの値が変数ＣＬＳの値（端末１０４Ａのクラスフィールドの値）以上であれば、当該レコードに該当する端末のためのモード変更指示メールを生成して、送信する。このときの本文は、モード変更要求メールの本文そのままである。そのレコードフィールドの値が変数ＣＬＳの値より小さければ何もしない。
【００６８】
ここで、レコードのクラスフィールドの値が変数ＣＬＳの値（端末１０４Ａのクラスフィールドの値）以上であるレコードは、Ｕｓｅｒ２及びＵｓｅｒ３のレコードなので、管理サーバ１０２は、端末１０４Ｂ及び端末１０４Ｃの両方にモード変更指示メールを送信する。
【００６９】
一方、このモード変更指示メールの送信先の端末（例えば端末１０４Ｂ）は、モード変更指示メールを受信すると（図７に示すステップ３０６においてＹＥＳ）、モード変更指示メールを参照して、変数ＳＰＸ、変数ＳＰＹ、及び変数ＳＨＩＧＨに、それぞれモード変更指示メールから得られる、端末１０４Ａの緯度、経度、及び高度を代入し、変数ＳＴＭＭに、受信したモード変更指示メールのキーワード「ＭＡＮＮＥＲ」に対応する値（端末１０４Ａの現在の動作モードを示す識別子）を代入する（図１０に示すステップ４００）。端末１０４Ｂは、端末１０４Ｂの位置取得装置から端末１０４Ｂの現在位置を示す緯度、経度、及び高度を取得して、取得した緯度、経度、及び高度を、それぞれ変数ＲＰＸ、変数ＲＰＹ、及びＲＨＩＧＨに代入する（図１０に示すステップ４０２）。端末１０４Ｃは、変数ＳＰＸ及び変数ＳＰＹと変数ＲＰＸ及び変数ＲＰＹとを比較して、距離が１５ｍを超えているか否かを判定する。距離が１５ｍを越えていれば（図１０に示すステップ４０４においてＮＯ）、すなわち端末１０４Ａと端末１０４Ｂとの距離が１５ｍより大きければ、端末１０４Ｂは制御を図７に示すステップ３００に戻す。すなわちこの場合、端末１０４Ｂの動作モードは変更されない。
【００７０】
Ｕｓｅｒ２とＵｓｅｒ１との距離が水平方向で１５ｍ以内であるが、垂直方向で１５ｍを超えている場合、端末１０４Ｂは、高度差が１５ｍを超えているか否かを確認する（図１０に示すステップ４０６においてＮＯ）。高度差が１５ｍを超えていれば、制御は図７に示すステップ３００に戻る。すなわち、端末１０４Ａと端末１０４Ｂとが、緯度及び経度では１５ｍ以内の位置にあるが、その高度差が１５ｍを超えているときにも、端末１０４Ｂの動作モードは変更されない。端末１０４Ａと端末１０４Ｂとが、緯度及び経度では１５ｍ以内の位置にあり、かつ高度差が１５ｍ以内であれば、端末１０４Ｂの動作モードは、端末１０４Ａの動作モードと同一の動作モードに変更される（図１０のステップ４０８）。
【００７１】
以上が、モード変更指示メールを受信したときの端末１０４Ｂの動作である。端末１０４Ｃでも、これと同じ動作が行なわれる。
【００７２】
端末１０４Ｂに、他の端末からの着呼があると、端末１０４Ｂでは図８に示す処理が実行される。すなわち、端末１０４Ｂはディスプレイに着信画面を表示する（図８に示すステップ３３０）。端末１０４Ｂの変数ＭＡＮＮＥＲの値が０であれば（着信音出力モード、図８に示すステップ３３２においてＮＯ）、端末１０４Ｂは着信音を発生する（図８に示すステップ３３４）。変数ＭＡＮＮＥＲの値が１であれば、端末１０４Ｂは着信音を発生せず、振動を発生させる(図８に示すステップ３３６)。以下の端末１０４Ｂにおける動作は、図８及び先の構成の説明から明らかであるから、ここではその詳細は繰返さない。
【００７３】
なお、端末１０４Ａ及び１０４Ｃにおける動作もこれと全く同様である。
【００７４】
仮に端末１０４Ｂの利用者がマナーボタンを操作したときにも、上と同様の動作が行なわれる。ただしこの場合には、端末１０４Ｂのクラスが１であるため、クラスが０である端末１０４Ａにはモード変更指示メールは送信されず、その動作モードは変更されない。端末１０４Ｃは端末１０４Ｂと同じクラス１であるため、モード変更指示メールが送信され、その動作モードが端末１０４Ｂと同じものに変更される。
【００７５】
以上、本実施の形態に係るシステムの動作を説明した。上記説明と、最初に述べた構成とから、上記以外の場合のシステムの動作は当業者には明らかであろう。
【００７６】
［本実施の形態の効果］
以上の説明から明らかなように、本実施の形態に係るシステム１００を利用することにより、ある端末の利用者が、当該端末をマナーモードに設定すると、当該端末と同じグループに属する端末であって、その端末と同等かそれ以下の権限しか持たない全ての端末が、マナーモードに設定される。マナーモードの解除の場合も同様である。
【００７７】
あるグループに属する全ての端末の利用者が連立って行動している場合、それらの利用者の１人がついついマナーモードに設定することを忘れてしまったとしても、所定の権限を持っている端末を所持している少なくとも１人の利用者が当該利用者の端末をマナーモードに設定すれば、そのグループに属する、同等以下の権限しかない全ての端末がマナーモードに設定される。したがって、グループに属する者がそろって、一般常識及びマナーに背かない行動を取ることができるシステムを提供することができる。
【００７８】
例えば、上記の実施の形態において、端末１０４Ａ及び端末１０４Ｂを、それぞれ親及び子供が保持しているものとする。電車及びバス等のようにマナーモードに設定するべきである場所に、親及び子供が一緒にいる場合、子供がマナーモードの設定の仕方を知らなかったとしても、親が端末１０４Ａをマナーモードに設定すれば、端末１０４Ｂも自動的にマナーモードに設定され、他の乗客に迷惑をかけることはない。もちろん、親が持っている端末に、子供の持っている端末以上の権限が与えられていることが前提である。
【００７９】
また、端末１０４Ａと端末１０４Ｂとが同じ権限であるとすると、次のようなことができる。例えば、電車又はバスの中等の公共の場で、親が荷物を両手で抱えており、端末１０４Ａをマナーモードに設定できない場合がある。そのような場合に、子供が自分の端末１０４Ｂをマナーモードに設定すれば、端末１０４Ａも自動的にマナーモードに設定され、他の乗客に迷惑をかけることはない。マナーモードの解除についても同様である。
【００８０】
［変形例］
上記の実施の形態では、通信端末１０４は携帯電話であったが、本発明はそのような実施の形態には限定されず、ＰＨＳ（Ｐｅｒｓｏｎａｌ  Ｈａｎｄｙｐｈｏｎｅ  Ｓｙｓｔｅｍ）及びＰＤＡ（Ｐｅｒｓｏｎａｌ  Ｄｉｇｉｔａｌ  Ａｓｓｉｓｔａｎｔ）等の個人用携帯情報端末でもよい。
【００８１】
また、上記の実施の形態では、端末１０４は、利用者によって動作モードが変更された場合、電子メールを管理サーバ１０２に送信していた。しかし、本発明はそのような実施の形態には限定されず、端末１０４と管理サーバ１０２との間での送受信のプロトコルは、どのようなものでも良い。
【００８２】
さらに、上記の実施の形態では、端末１０４の動作モードは、着信音出力モード及びマナーモードの２つのモードのみであったが、本発明はそのような実施の形態には限定されない。それらのモードの他に、電波を外部に送信することと電波を外部から受信することとを許容しない電波オフモードで端末１０４を動作させる場合にも、本願発明を適用できる。こうした電波オフモードは、例えば病院等、通信端末から発信される電波により周囲の装置に悪影響が及び危険性があるところで有効に使用される。その場合、上記の実施の形態において、端末１０４Ａが、マナーモードから電波オフモードに変更された場合、端末１０４Ｂ及び端末１０４Ｃも電波オフモードに設定されるようにする。また、端末１０４にＬＥＤ（Ｌｉｇｈｔ  Ｅｍｉｔｔｉｎｇ  Ｄｉｏｄｅ）を設置して、他の端末から着呼があったときに、ＬＥＤから光を出力するための動作モードで端末１０４を動作させても良い。
【００８３】
さらに、上記の実施の形態では、端末１０４Ａは、他の端末からの着呼があった場合にのみ、変数ＭＡＮＮＥＲの値に応じて異なる動作をしていたが、本発明はそのような実施の形態には限定されない。通常の電子メールを受信したときであっても、変数ＭＡＮＮＥＲの値に応じて端末１０４Ａに異なる動作をさせても良い。また、利用者によって予め定められた時刻に、音を出力したり、端末を振動させたりするためのアラーム機能を備える携帯電話などの情報端末がある。利用者によって予め定められた時刻に達したときに、変数ＭＡＮＮＥＲの値に応じてそうした端末に異なる動作をさせるようにしても良い。
【００８４】
さらに、上記の実施の形態では、ある端末１０４が、管理サーバ１０２を介して他の端末１０４の動作モードを変更させている。しかし、本発明はそのような実施の形態には限定されない。各端末に、同じグループに属する全ての他の端末のメールアドレス及びクラスの値を予め記憶させるようにしてもよい。その場合には、ある端末の動作モードが変更されたとき、当該端末が、同じグループに属する全ての端末に直接にモード変更指示メールを送信するようにしても良い。その場合のプログラムは、上記実施の形態のものと異なってくるが、管理サーバに１つのメールを送信するのにかえて、各端末で上記実施の形態における管理サーバ１０２と同様のメール発信動作をさせればよい。
【００８５】
今回開示された実施の形態は単に例示であって、本発明が上記した実施の形態のみに限定されるわけではない。本発明の範囲は、発明の詳細な説明の記載を参酌した上で、特許請求の範囲の各請求項によって示され、そこに記載された文言と均等の意味及び範囲内でのすべての変更を含む。
【図面の簡単な説明】
【００８６】
【図１】本発明の実施の形態に係るシステム１００のネットワーク環境を示す図である。
【図２】図１に示す端末１０４Ａの外観構成を示す図である。
【図３】図１に示す端末１０４Ａのブロック図である。
【図４】図１に示す管理サーバ１０２のブロック図である。
【図５】図１に示すグループＤＢ２５６の構成を示す図である。
【図６】モード変更要求メール及びモード変更指示メールの構成を示す図である。
【図７】端末１０４Ａの機能を実現するコンピュータプログラムの制御構造を示すフローチャートである。
【図８】端末１０４Ａの機能を実現するコンピュータプログラムの制御構造を示すフローチャートである。
【図９】端末１０４Ａの機能を実現するコンピュータプログラムの制御構造を示すフローチャートである。
【図１０】端末１０４Ａの機能を実現するコンピュータプログラムの制御構造を示すフローチャートである。
【図１１】管理サーバ１０２の機能を実現するコンピュータプログラムの制御構造を示すフローチャートである。
【符号の説明】
【００８７】
１００  システム
１０２  管理サーバ
１０４（１０４Ａ，１０４Ｂ，１０４Ｃ）  端末
１０６  電話回線網
１０８  インターネット
１１０  第１の基地局
１１２  第２の基地局
２００  制御部
２０２  表示装置
２０４  入力装置
２０６  記憶装置
２０８  位置取得装置
２１０  通信装置
２１２  振動出力装置
２１４  音声出力装置
２１６  計時装置
２１８  音声入出力装置
２２０  通話装置
２５０  通信装置
２５２  制御部
２５４  記憶装置
２５６  グループＤＢ
【図１】
0005147115.tif 000002
【図２】
0005147115.tif 000003
【図３】
0005147115.tif 000004
【図４】
0005147115.tif 000005
【図５】
0005147115.tif 000006
【図６】
0005147115.tif 000007
【図７】
0005147115.tif 000008
【図８】
0005147115.tif 000009
【図９】
0005147115.tif 000010
【図１０】
0005147115.tif 000011
【図１１】
0005147115.tif 000012